(57)【要約】【課題】  便器本体５０のサイズや使用者、使用形態（大便または小便）によって噴霧量を変更して、常に便器本体５０の内側を最適な霧量とすることができる便座装置１を提供することである。【解決手段】  便器本体５０の上に取付けられる便座５と、液体を霧化して便器本体５０の内側に噴霧する噴霧部２０と、前記噴霧部２０で噴霧される単位時間当たりの噴霧量を制御する制御部１５と、を備えた便座装置１において、前記制御部１５が予め設定された噴霧量の中から最適な噴霧量を選択して噴霧される単位時間当たりの噴霧量を制御する機能を備えていることである。【選択図】図１
2006144498.tif 000002
【特許請求の範囲】
【請求項１】
便器本体の上に取付けられる便座と、液体を霧化して便器本体の内側に噴霧する噴霧部と、前記噴霧部で噴霧される単位時間当たりの噴霧量を制御する制御部と、を備えた便座装置において、前記制御部が予め設定された噴霧量の中から最適な噴霧量を選択して噴霧される単位時間当たりの噴霧量を制御する機能を備えていることを特徴とする便座装置。
【請求項２】
前記制御部が噴霧される単位時間当たりの噴霧量を多段階に時分割制御する機能を備えて、かつ噴霧開始時に噴霧される単位時間当たりの噴霧量が該直後に噴霧される単位時間当たりの噴霧量よりも多くなるように噴霧部を制御する機能を備えていることを特徴とする請求項１に記載の便座装置。
【請求項３】
便器本体の内側の霧を吸い込むための吸込み部を備えて、前記制御部が便器本体の内側の霧量を減少させるように前記吸込み部を用いて制御する機能を備えていることを特徴とする請求項１または２に記載の便座装置。
【請求項４】
前記便座が便器本体の上に開閉自在に取付けられて、かつ便座の開閉状態を検知するための開閉検知部を備えて、前記制御部が開閉検知部からの開信号により噴霧を開始させるように噴霧部を制御する機能を備えていることを特徴とする請求項１から３のいずれかに記載の便座装置。
【請求項５】
便器本体の内側を照らすための照明部を備えて、前記制御部が霧を噴霧する際に便器本体の内側を照らすように前記照明部を制御する機能を備えていることを特徴とする請求項１から４のいずれかに記載の便座装置。
【発明の詳細な説明】
【技術分野】
【０００１】
本願発明は、便器本体の上に据え付けられる便座装置に関して、特に排便時の便の臭いを脱臭する脱臭機能を備えた便座装置に関する。
【背景技術】
【０００２】
従来から、特許文献１の如く、便器本体の上に取付けられる便座と、液体を霧化して便器本体の内側に噴霧する噴霧部と、を備えて、排便時の便の臭いを脱臭する便座装置が知られている。そして、上記の便座装置には、その下面に便器本体の内側の霧量を検知するための霧量検知センサが備えられて、使用時において便器本体の内側の霧量を一定量に保っている。
【０００３】
しかし、便座装置に取付けられた霧量検知センサには、通常より湿度の非常に高い環境で使用されるので、誤動作を起こし易い。そのため、便器本体の内側を最適な霧量とすることができない場合がある。さらには、便器本体のサイズや使用者、使用形態（大便または小便）によって噴霧量を変更できるように工夫がなされていないので、霧量が多過ぎて便器本体の外部にミストが溢れ出したり、使用者に過度の湿度を感じさせて不快感を与えたりするといった不具合がある。
【特許文献１】特開２００１−２２７０２６号公報
【発明の開示】
【発明が解決しようとする課題】
【０００４】
そこで、本願発明は、上記背景技術に鑑みて発明されたものであり、その課題は、便器本体のサイズや使用者、使用形態（大便または小便）によって噴霧量を変更して、常に便器本体の内側を最適な霧量とすることができる便座装置を提供することである。
【課題を解決するための手段】
【０００５】
上記課題を解決するために、本願発明の便座装置は、便器本体の上に取付けられる便座と、液体を霧化して便器本体の内側に噴霧する噴霧部と、前記噴霧部で噴霧される単位時間当たりの噴霧量を制御する制御部と、を備えた便座装置において、前記制御部が予め設定された噴霧量の中から最適な噴霧量を選択して噴霧される単位時間当たりの噴霧量を制御する機能を備えていることである。
【発明の効果】
【０００６】
本願発明の便座装置においては、便器本体のサイズや使用者、使用形態（大便または小便）によって噴霧量を変更して、常に便器本体の内側を最適な霧量とすることができる。
【発明を実施するための最良の形態】
【０００７】
図１は本願発明の請求項１乃至５に対応した実施形態の便座装置１の上面図及びＡ−Ａ断面図を、図２は図１の便座装置１のシステム構成図を、図３・４は図１の便座装置１の各部のタイムチャート図を示している。この実施形態で用いる便座装置１は、便器本体５０の上に取付けられる便座５と、液体を霧化して便器本体５０の内側に噴霧する噴霧部２０と、噴霧部２０で噴霧される単位時間当たりの噴霧量を制御する制御部１５と、を備えた便座装置１において、制御部１５が予め設定された噴霧量の中から最適な噴霧量を選択して噴霧される単位時間当たりの噴霧量を制御する機能を備えているものである。
【０００８】
又、この実施形態で用いる便座装置１は、制御部１５が噴霧される単位時間当たりの噴霧量を多段階に時分割制御する機能を備えて、かつ噴霧開始時に噴霧される単位時間当たりの噴霧量が該直後に噴霧される単位時間当たりの噴霧量よりも多くなるように噴霧部２０を制御する機能を備えているものである。
【０００９】
又、この実施形態で用いる便座装置１は、便器本体５０の内側の霧を吸い込むための吸込み部２５を備えて、制御部１５が便器本体５０の内側の霧量を減少させるように前記吸込み部２５を用いて制御する機能を備えているものである。
【００１０】
又、この実施形態で用いる便座装置１は、便座５が便器本体５０の上に開閉自在に取付けられて、かつ便座５の開閉状態を検知するための開閉検知部３０を備えて、制御部１５が開閉検知部３０からの開信号により噴霧を開始させるように噴霧部２０を制御する機能を備えているものである。
【００１１】
又、この実施形態で用いる便座装置１は、便器本体５０の内側を照らすための照明部３５を備えて、制御部１５が霧を噴霧する際に便器本体５０の内側を照らすように照明部３５を制御する機能を備えているものである。
【００１２】
以下、この実施形態の便座装置１の構造を、より具体的に説明する。この実施形態の便座装置１は、図１に示すように、便器本体５０の上面に取付けられており、便座５とその便座５を便器本体５０の上に開閉自在に支持する装置本体１０とで構成されているものである。そして、装置本体１０は、液体を霧化して便器本体５０の内側に噴霧する噴霧部２０と、便器本体５０の内側の霧を吸い込んで取り去る吸込み部２５と、便器本体５０の内側を照らすように設けられた照明部３５と、それらを制御する制御部１５と、それら全てを覆うカバー部４０とで構成されているものである。そして、カバー部４０は、矢印Ｂに示す方向に、噴霧部２０と連通して便器本体５０の後方から便器本体５０の内側の便が落ちる位置を中心に噴出できるようにするための噴霧口４１と、吸込み部２５と連通して便器本体５０の内側の霧を装置本体１０に吸入する吸込み口４２と、を備えているものである。これにより、排便中の便の周囲を霧で覆うことができるので、便から生ずる悪臭成分を霧中に溶解させて便器本体５０の内側に落として脱臭することができるものである。また、噴霧部２０には、霧化させる液体を貯水するタンク２１と、タンク２１から供給された液体を超音波振動により霧化する超音波式霧化器２２と、で構成されており、噴霧口４１に霧を供給できるものとなっている。さらに、吸込み部２５はファンで構成されており、矢印Ｃに示すように便器本体５０の内側の霧を空気と共に吸込み口４２より吸込むことができるものとなっている。そして、照明部３５は、ＬＥＤ等の小型の照明装置よりなり、カバー部４０の便器本体５０の内側を照らすことが可能な位置に設けられているものである。また、噴霧部２０・吸込み部２５・照明部３５を制御する制御部１５は、図１にて図示していないが、カバー部４０内の適当な位置に内部に防湿処理を施されて固定されたマイクロコンピュータを用いているものである。また、使用者の着座及び便座５の開閉状態を検知するために、便座５の下面には便座５と便器本体５０との間の距離を測る距離センサである開閉検知部３０が設けられており、この開閉検知部３０からの信号により制御部１５にて使用形態を判断しているものである。このときの使用形態の判断方法としては、便座５と便器本体５０との間の距離が予め定められた範囲よりも短いときには使用者が着座状態での使用形態と判断し、逆に長いときには便座５が開状態での使用形態と判断するものである。
【００１３】
つぎに、この実施形態の便座装置１の制御方法を、より具体的に説明する。図２に示すように、本実施形態の便座装置１は、開閉検知部３０からの信号を受信して、噴霧部２０・吸込み部２５・照明部３５を制御部１５にて制御する構成となっており、使用者が着座状態での使用（大便時等）と便座５を開状態にしての使用（男性の小便時等）に分けて、以下にタイムチャート図を用いて説明する。
【００１４】
まず、図３に示すように、使用者の着座状態での使用を開閉検知部３０で検知すると、噴霧部２０・照明部３５に信号が送信されて、噴霧部２０が駆動して霧が噴霧口４１より便器本体５０の内側に噴霧される。また、それと同時に照明部３５が駆動して、便器本体５０の内側が照らされる。そして、噴霧部２０が駆動してからＴ１時間経過後、便器本体５０の内側に霧が充満して、使用者に過度の湿度を感じさせて不快感を与えることを防止するために、噴霧部２０の駆動を停止し、その停止と同時に吸込み部２５を駆動して便器本体５０の内側の霧を空気と共に装置本体１０内に吸い込んで、便器本体５０の内側の霧量を減少させる。さらには、吸込み部２５が駆動してからＴ２時間経過後、今度は吸込み部２５を停止して、再び噴霧部２０を駆動させて、便器本体５０の内側の霧量を増加させる。さらに、この噴霧部２０および吸込み部２５を駆動および停止させる動作を繰り返すことにより、使用者に過度の湿度を感じさせて不快感を与えることなく、便の臭いを効果的に脱臭できるものとなっている。そして、開閉検知部３０からの信号により使用者の着座状態が解除されたことを検知すると、噴霧部２０及び吸込み部２５が停止し、また着座状態の時に点灯し続けていた照明部３５が停止（消灯）し、噴霧部２０及び吸込み部２５が停止したことを通知して、使用者が着座状態での使用における便座装置１の駆動は終了する。なお、上記制御において、室内に臭いが確実に残らないようにするために、着座状態が解除された後も所定時間の間、噴霧部２０および吸込み部２５を駆動および停止させる動作を繰り返すようにしても良い。
【００１５】
つぎに、図４に示すように、便座５を開状態にしての使用を開閉検知部３０にて検知すると、上記と同様に噴霧部２０・照明部３５に信号が送信されて、噴霧部２０及び照明部３５が駆動して、便器本体５０の内側に霧が噴霧されて、かつ便器本体５０の内側が照らされる。そして、噴霧部２０が駆動してからＴ３時間経過後、便器本体５０の内側に霧が充満して溢れ出すことを防止するために、噴霧部２０の駆動を停止し、その停止と同時に吸込み部２５を駆動して、便器本体５０の内側の霧量を減少させる。さらには、吸込み部２５が駆動してからＴ４時間経過後、吸込み部２５を停止して、再び噴霧部２０を駆動させ、便器本体５０の内側の霧量を増加させる。そして、この噴霧部２０および吸込み部２５を駆動および停止させる動作を開閉検知部３０にて便座５が閉状態であることを検知するまで繰り返して、閉状態を検知後に噴霧部２０・吸込み部２５・照明部３５を停止して、便座装置１の駆動は終了する。そして、この使用形態においては、使用者の着座状態での使用の場合と異なり、便器本体５０の内側に霧が充満して溢れ出す直前まで便器本体５０の内側の霧量を増加させることができ、噴霧部２０が駆動する時間であるＴ３は、Ｔ１よりも長く設定されているものであり、かつ噴霧部２０が停止している時間であるＴ４は、Ｔ２よりも短く設定されているものである。このように、使用者の使用形態に応じて、噴霧部２０が駆動・停止する時間の設定を変更できる制御部１５を備えることにより、常に最適な霧量を便器本体５０の内側に保つことができるものである。
【００１６】
なお、この実施形態では、使用形態（着座状態または便座５の開状態）に応じて便器本体５０の内側に噴霧される最適な噴霧量を制御部１５にて選択するようにしたが、外部から操作可能なスイッチを設けて、使用者や便器本体５０の大きさに応じて使用者がそのスイッチを押して最適な噴霧量を制御部１５に通知するようにしてもよい。
【００１７】
なお、この実施形態では、噴霧部２０からの噴霧量を２段階（ＯＮ／ＯＦＦ）としたが、複数段階に制御可能に設けて、各噴霧量を時間分割制御しても良い。
【００１８】
以上の構成を備えることにより、この実施形態で用いる便座装置１においては、便器本体５０の上に取付けられる便座５と、液体を霧化して便器本体５０の内側に噴霧する噴霧部２０と、噴霧部２０で噴霧される単位時間当たりの噴霧量を制御する制御部１５と、を備えた便座装置１において、制御部１５が予め設定された噴霧量の中から最適な噴霧量を選択して噴霧される単位時間当たりの噴霧量を制御する機能を備えているので、便器のサイズや使用者、使用形態（大便または小便）によって噴霧量を変更して、常に便器本体５０の内側を最適な霧量とすることができるものである。
【００１９】
又、この実施形態で用いる便座装置１は、制御部１５が噴霧される単位時間当たりの噴霧量を多段階に時分割制御する機能を備えて、かつ噴霧開始時に噴霧される単位時間当たりの噴霧量が該直後に噴霧される単位時間当たりの噴霧量よりも多くなるように噴霧部２０を制御する機能を備えているので、噴霧開始時に噴霧部２０での噴霧量を多くすることにより、直ぐに便器本体５０の内側の霧量を高めることができ、かつそれに続く時間に噴霧される噴霧量を少なくすることにより、便器本体５０の内側から霧が溢れ出したり、使用者に過度の湿度を感じさせて不快感を与えたりすることを防止できるものである。
【００２０】
又、この実施形態で用いる便座装置１は、便器本体５０の内側の霧を吸い込むための吸込み部２５を備えて、制御部１５が便器本体５０の内側の霧量を減少させるように吸込み部２５を用いて制御する機能を備えているので、便器本体５０の内側より霧が溢れ出したり、使用者に過度の湿度を感じさせて不快感を与えたりすることを防止できるものである。
【００２１】
又、この実施形態で用いる便座装置１は、便座５が便器本体５０の上に開閉自在に取付けられて、かつ便座５の開閉状態を検知するための開閉検知部３０を備えて、制御部１５が開閉検知部３０からの開信号により噴霧を開始させるように噴霧部２０を制御する機能を備えているので、男性の使用者が小便を行う際にも自動で便器本体５０の内側に噴霧できて、小便による臭いを脱臭することができるものである。
【００２２】
又、この実施形態で用いる便座装置１は、便器本体５０の内側を照らすための照明部３５を備えて、制御部１５が霧を噴霧する際に便器本体５０の内側を照らすように照明部３５を制御する機能を備えているので、霧が発生している状態を視覚的に使用者に通知することができるものである。
【図面の簡単な説明】
【００２３】
【図１】本願発明の実施形態に係る便座装置の（ａ）上面図（ｂ）Ａ−Ａ断面図。
【図２】本願発明の実施形態に係る図１の便座装置１のシステム構成図。
【図３】本願発明の実施形態に係る図１の便座装置１の各部のタイムチャート図。
【図４】本願発明の実施形態に係る図１の便座装置１の各部のタイムチャート図。
【符号の説明】
【００２４】
１    便座装置
５    便座
１０  装置本体
１５  制御部
２０  噴霧部
２１  タンク
２２  超音波式霧化器
２５  吸込み部
３０  開閉検知部
３５  照明部
４０  カバー部
４１  噴霧口
４２  吸込み口
５０  便器本体
【図１】
2006144498.tif 000003
【図２】
2006144498.tif 000004
【図３】
2006144498.tif 000005
【図４】
2006144498.tif 000006